【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
油液及びガスが混在して封入されたシリンダと、
該シリンダ内に摺動可能に嵌装されたピストンと、
一端部が前記ピストンと一体となるように結合して固定され、他端部が前記シリンダの外部へ延出されたピストンロッドと、
前記ピストンの摺動によって生じる油液の流れを制御して減衰力を発生させる減衰力発生機構と、を備えた油圧ダンパにおいて、
前記油液の量を前記ピストンが常時油液中に浸漬される量とし、前記ピストンロッドのストロークによってエアレーションが発生した際に減衰力を低下可能とし、
前記減衰力発生機構は、前記ピストンに設けられた複数の油路と、
前記ピストンロッドの伸び側および縮み側のストロークによって前記ピストンの軸方向に沿って所定距離移動可能に設けられ、前記複数の油路の流路面積を変更させて減衰力を変化させる環状でその外周を油液が流れる弁体と、を有しており、
前記複数の流路の流路面積は、前記ピストンロッドの伸び側ストロークの際に前記弁体が移動した状態における伸び側の減衰力を発生する流路面積に対して、前記ピストンロッドの縮み側ストロークの際に前記弁体が移動した状態における縮み側の減衰力を発生する流路面積が大きくなることを特徴とする油圧ダンパ。
【請求項２】
前記複数の油路は、前記ピストンロッドの伸び側ストロークの際に前記弁体により閉鎖されると共に縮み側ストロークの際に開かれる縮み側油路と、該縮み側油路と並列に設けられ伸び側ストロークの際に伸び側の減衰力を発生する流路面積となる伸び側のオリフィスと、前記ピストンロッドの縮み側ストロークの際に前記弁体により閉鎖されると共に伸び側ストロークの際に開かれる伸び側油路と、該伸び側油路と並列に設けられ縮み側ストロークの際に縮み側の減衰力を発生する流路面積となる縮み側のオリフィスと、からなることを特徴とする請求項１に記載の油圧ダンパ。
【請求項３】
前記複数の油路は、前記ピストンに貫通して設けられ、
前記弁体は、前記ピストンの軸方向ピストンロッド側に、前記ピストンの伸び側ストロークによって前記複数の油路の一部を閉鎖し、縮み側ストロークによって該閉塞されていた油路を開くように設けられたことを特徴とする請求項１又は２に記載の油圧ダンパ。
【請求項４】
前記弁体は、前記ピストンの軸方向ピストンロッド側にのみ設けられていることを特徴とする請求項３に記載の油圧ダンパ。
【請求項５】
前記弁体を、前記ピストンの軸方向に自由に移動可能としたことを特徴とする請求項１乃至４のいずれかに記載の油圧ダンパ。
【請求項６】
前記弁体は、前記油圧ダンパの伸び行程時には該弁体外周の油液の流通抵抗によってピストンに対して縮み方向に移動し、前記油圧ダンパの縮み行程時には該弁体外周の油液の流通抵抗によってピストンに対して伸び方向に移動するように設けられていることを特徴とする請求項５に記載の油圧ダンパ。
【請求項７】
油液及びガスが混在して封入され円筒状のシリンダと、
該シリンダ内に摺動可能に嵌装され、前記シリンダ内を２つのシリンダ室に画成する円形のピストンと、
一端部が前記ピストンと一体となるように結合して固定され、他端部が前記シリンダの一端からオイルシールを介して外部へ延出されたピストンロッドと、
前記ピストンに貫通して設けられ前記２つのシリンダ室を連通する油液通路と、
前記ピストンに設けられ前記２つのシリンダ室を連通するオリフィス通路と、
前記ピストンロッドの前記シリンダの一端側外周に軸方向に自由に所定距離移動可能に設けられ、前記油液通路を前記ピストンロッドの伸び側ストロークによって閉塞すると共に縮み側ストロークの際に開く、環状でその外周を油液が流れる弁体とからなり、
前記油液の量を前記ピストンが常時油液中に浸漬される量とし、前記ピストンロッドのストロークによってエアレーションを発生させ減衰力を低下可能とし、
前記油液通路と前記オリフィス通路の前記弁体がある側とは反対側の開口は常時開いていることを特徴とする油圧ダンパ。
【請求項８】
洗濯機の水槽側に取り付けられる油液及びガスが混在して封入され円筒状のシリンダと、
該シリンダ内に摺動可能に嵌装され、前記シリンダ内を２つのシリンダ室に画成する円形のピストンと、
一端部が前記ピストンと一体となるように結合して固定され、他端部が前記シリンダの一端からオイルシールを介して外部へ延出され前記洗濯機の筐体側に取り付けられたピストンロッドと、
前記ピストンに貫通して設けられ前記２つのシリンダ室を連通する油液通路と、
前記ピストンに設けられ前記２つのシリンダ室を連通するオリフィス通路と、
前記ピストンロッドの前記シリンダの一端側外周に軸方向に自由に所定距離移動可能に設けられ、前記油液通路を前記ピストンロッドの伸び側ストロークによって閉塞して減衰力を大きくすると共に縮み側ストロークの際に開き減衰力を低下させる環状でその外周を油液が流れる弁体とからなり、
前記油液の量を前記ピストンが常時油液中に浸漬される量としたことにより前記ピストンロッドのストロークによってエアレーションを発生させ減衰力を低下可能とし、
前記油液通路と前記オリフィス通路の前記弁体がある側とは反対側の開口は常時開いていることを特徴とする洗濯機用の油圧ダンパ。
【請求項９】
前記ガスは、前記ピストンロッドの最大伸長位置において大気圧となっていることを特徴とする請求項１乃至８のいずれかに記載の油圧ダンパ。
【請求項１０】
前記ピストンロッドと前記シリンダの間の外周にコイルバネを設けたことを特徴とする請求項請求項１乃至９のいずれかに記載の油圧ダンパ。
【請求項１１】
前記シリンダ内には、前記ピストンの作動ストローク範囲において、常時ピストンが油液に浸漬される量の油液と、ピストンロッドを最大長位置とした状態で前記シリンダ容積の２０％〜４０％の大気圧のガスが封入れていることを特徴とする請求項９又は１０に記載の油圧ダンパ。
【請求項１２】
前記弁体の外周部と前記シリンダの内壁との間の流路面積を前記油液通路とオリフィス通路との合計流路面積より大きくしたことを特徴とする請求項１乃至１１のいずれかに記載の油圧ダンパ。
【請求項１３】
筐体内に設けられ内部に回転可能なドラムを有する水槽からなる洗濯機において、
前記筐体と水槽の間に油圧ダンパを設け、
前記油圧ダンパは、油液及びガスが混在して封入され円筒状のシリンダと、
該シリンダ内に摺動可能に嵌装され、前記シリンダ内を２つのシリンダ室に画成する円形のピストンと、
一端部が前記ピストンと一体となるように結合して固定され、他端部が前記シリンダの一端からオイルシールを介して外部へ延出され前記洗濯機の筐体側に取り付けられたピストンロッドと、
前記ピストンに貫通して設けられ前記２つのシリンダ室を連通する油液通路と、
前記ピストンに設けられ前記２つのシリンダ室を連通するオリフィス通路と、
前記ピストンロッドの前記シリンダの一端側外周に軸方向に自由に所定距離移動可能に設けられ、前記油液通路を前記ピストンロッドの伸び側ストロークによって閉塞して減衰力を大きくすると共に縮み側ストロークの際に開き減衰力を低下させる環状でその外周を油液が流れる弁体とからなり、
前記油液の量を前記ピストンが常時油液中に浸漬される量としたことにより前記ピストンロッドのストロークによってエアレーションを発生させ減衰力を低下可能とし、
前記油液通路と前記オリフィス通路の前記弁体がある側とは反対側の開口は常時開いていることを特徴とする洗濯機。
【手続補正２】
【補正対象書類名】明細書
【補正対象項目名】発明の名称
【補正方法】変更
【補正の内容】
【発明の名称】油圧ダンパ及び洗濯機
【手続補正３】
【補正対象書類名】明細書
【補正対象項目名】０００７
【補正方法】変更
【補正の内容】
【０００７】
本発明は、上記の点に鑑みてなされたものであり、高周波振動に対しては小さい減衰力
を発生し、低周波振動に対しては充分大きい減衰力を発生する洗濯機用ダンパとして理想
的な減衰力特性を有する油圧ダンパ及び洗濯機を提供することを目的とする。
【手続補正４】
【補正対象書類名】明細書
【補正対象項目名】０００８
【補正方法】変更
【補正の内容】
【０００８】
上記の課題を解決するために、請求項１に係る発明は、油液及びガスが混在して封入されたシリンダと、該シリンダ内に摺動可能に嵌装されたピストンと、一端部が前記ピストンと一体となるように結合して固定され、他端部が前記シリンダの外部へ延出されたピストンロッドと、前記ピストンの摺動によって生じる油液の流れを制御して減衰力を発生させる減衰力発生機構と、を備えた油圧ダンパにおいて、
前記油液の量を前記ピストンが常時油液中に浸漬される量とし、前記ピストンロッドのストロークによってエアレーションが発生した際に減衰力を低下可能とし、前記減衰力発生機構は、前記ピストンに設けられた複数の油路と、前記ピストンロッドの伸び側および縮み側のストロークによって前記ピストンの軸方向に沿って所定距離移動可能に設けられ、前記複数の油路の流路面積を変更させて減衰力を変化させる環状でその外周を油液が流れる弁体と、を有しており、前記複数の流路の流路面積は、前記ピストンロッドの伸び側ストロークの際に前記弁体が移動した状態における伸び側の減衰力を発生する流路面積に対して、前記ピストンロッドの縮み側ストロークの際に前記弁体が移動した状態における縮み側の減衰力を発生する流路面積が大きくなることを特徴とする。
請求項７の発明は、油液及びガスが混在して封入され円筒状のシリンダと、該シリンダ内に摺動可能に嵌装され、前記シリンダ内を２つのシリンダ室に画成する円形のピストンと、一端部が前記ピストンと一体となるように結合して固定され、他端部が前記シリンダの一端からオイルシールを介して外部へ延出されたピストンロッドと、前記ピストンに貫通して設けられ前記２つのシリンダ室を連通する油液通路と、前記ピストンに設けられ前記２つのシリンダ室を連通するオリフィス通路と、前記ピストンロッドの前記シリンダの一端側外周に軸方向に自由に所定距離移動可能に設けられ、前記油液通路を前記ピストンロッドの伸び側ストロークによって閉塞すると共に縮み側ストロークの際に開く、環状でその外周を油液が流れる弁体とからなり、
前記油液の量を前記ピストンが常時油液中に浸漬される量とし、前記ピストンロッドのストロークによってエアレーションを発生させ減衰力を低下可能とし、前記油液通路と前記オリフィス通路の前記弁体がある側とは反対側の開口は常時開いていることを特徴とする。
請求項８の発明は、洗濯機の水槽側に取り付けられる油液及びガスが混在して封入され円筒状のシリンダと、該シリンダ内に摺動可能に嵌装され、前記シリンダ内を２つのシリンダ室に画成する円形のピストンと、一端部が前記ピストンと一体となるように結合して固定され、他端部が前記シリンダの一端からオイルシールを介して外部へ延出され前記洗濯機の筐体側に取り付けられたピストンロッドと、前記ピストンに貫通して設けられ前記２つのシリンダ室を連通する油液通路と、
前記ピストンに設けられ前記２つのシリンダ室を連通するオリフィス通路と、前記ピストンロッドの前記シリンダの一端側外周に軸方向に自由に所定距離移動可能に設けられ、前記油液通路を前記ピストンロッドの伸び側ストロークによって閉塞して減衰力を大きくすると共に縮み側ストロークの際に開き減衰力を低下させる環状でその外周を油液が流れる弁体とからなり、前記油液の量を前記ピストンが常時油液中に浸漬される量としたことにより前記ピストンロッドのストロークによってエアレーションを発生させ減衰力を低下可能とし、前記油液通路と前記オリフィス通路の前記弁体がある側とは反対側の開口は常時開いていることを特徴とする。
請求項１３の発明は、筐体内に設けられ内部に回転可能なドラムを有する水槽からなる洗濯機において、前記筐体と水槽の間に油圧ダンパを設け、前記油圧ダンパは、油液及びガスが混在して封入され円筒状のシリンダと、該シリンダ内に摺動可能に嵌装され、前記シリンダ内を２つのシリンダ室に画成する円形のピストンと、一端部が前記ピストンと一体となるように結合して固定され、他端部が前記シリンダの一端からオイルシールを介して外部へ延出され前記洗濯機の筐体側に取り付けられたピストンロッドと、前記ピストンに貫通して設けられ前記２つのシリンダ室を連通する油液通路と、前記ピストンに設けられ前記２つのシリンダ室を連通するオリフィス通路と、前記ピストンロッドの前記シリンダの一端側外周に軸方向に自由に所定距離移動可能に設けられ、前記油液通路を前記ピストンロッドの伸び側ストロークによって閉塞して減衰力を大きくすると共に縮み側ストロークの際に開き減衰力を低下させる環状でその外周を油液が流れる弁体とからなり、
前記油液の量を前記ピストンが常時油液中に浸漬される量としたことにより前記ピストンロッドのストロークによってエアレーションを発生させ減衰力を低下可能とし、前記油液通路と前記オリフィス通路の前記弁体がある側とは反対側の開口は常時開いていることを特徴とする。
【手続補正５】
【補正対象書類名】明細書
【補正対象項目名】０００９
【補正方法】変更
【補正の内容】
【０００９】
本発明に係る油圧ダンパによれば、ピストンロッドのストロークの振幅が小さい場合には、弁体の移動量が小さく、油路が閉じられないので、小さな減衰力が発生し、ピストンロッドのストロークの振幅が大きい場合には、弁体が移動して油路の一部が閉じられるので、減衰力が大きくなる。また、ピストンロッドのストロークが高周波振動の場合、エアレーションによって減衰力が小さくなる。